(57)【要約】【課題】認証情報を有する認証キーを置き忘れて、権限の無いユーザによって使用されることのない画像形成装置を提供する。【解決手段】表示部に認証情報を有する認証キーをキー挿入部に挿入するように表示する（Ｓ１１）。次いで、認証キーが挿入されたか否かを確認する（Ｓ１２）。認証キーが挿入されていれば、原稿の読取時の設定を行うように表示部に表示し（Ｓ１３）、設定内容を確認する（Ｓ１４）。設定内容が確認できれば（Ｓ１４でＹＥＳ）、認証キーをキー挿入部から抜くように表示して（Ｓ１５）、抜かれたことを確認したら（Ｓ１６でＹＥＳ）、印字部による印刷を開始する（Ｓ１７）。【選択図】図３
2008236366.tif 000002
【特許請求の範囲】
【請求項１】
所定の認証情報を有する認証キーが接続されているか否かを判断する認証キー判断手段と、
前記認証キー判断手段が、前記認証キーが接続されていると判断しているときに、ジョブの設定を許容するジョブ設定手段と、
前記ジョブ設定手段によるジョブの設定後、前記設定されたジョブを実行するジョブ実行手段とを含み、
前記認証キー判断手段が、前記認証キーが取り外されたと判断した後に、前記ジョブ実行手段によるジョブを実行させるよう制御する制御手段を含む、画像形成装置。
【請求項２】
前記ジョブ設定手段によるジョブの設定後、前記認証キーを取り外すよう警告する警告手段を含む、請求項１に記載の画像形成装置。
【請求項３】
表示手段をさらに含み、前記警告手段は、前記表示手段に警告文を表示する、請求項２に記載の画像形成装置。
【請求項４】
前記認証キーは前記認証情報のみを有する、請求項１から３のいずれかに記載の画像形成装置。
【請求項５】
さらにパスワードを入力させるパスワード入力手段を含み、
前記制御手段は、前記パスワード入力手段へのパスワードの入力があった場合に、前記ジョブ設定手段によるジョブの設定を許可する、請求項１から４のいずれかに記載の画像形成装置。
【発明の詳細な説明】
【技術分野】
【０００１】
この発明は、画像形成装置に関し、特に、認証情報を有する認証キーを装着した場合に画像形成を許可する画像形成装置に関する。
【背景技術】
【０００２】
従来、認証情報が入った認証キーを装置本体に装着した場合にのみ、画像形成を許可する画像形成装置が知られている。
【０００３】
一方で、メディアに記憶されたファイルを読み出して印刷する画像処理装置が、たとえば、特開２００５−３２４４３１号公報（特許文献１）に開示されている。同公報によれば、メディアに記憶されたファイルを読み出して印刷するために、メディアからファイルを読み出した後、プリンタによる印刷処理が終了するまでの間にメディアを装置から取り出すことを促す通知を行っている。
【特許文献１】特開２００５−３２４４３１号公報（要約）
【発明の開示】
【発明が解決しようとする課題】
【０００４】
メディアに記憶されたファイルを読み出して印刷する画像処理装置においては、メディアからファイルを読み出した後、プリンタによる印刷処理が終了するまでの間にメディアを装置から取り出すことを促す通知を行ってはいるが、このメディアを、画像形成装置の使用を許可する認証情報を有するキーとして使用してもよいという記載はない。
【０００５】
一方、従来の認証情報が入ったキーを装置本体に装着した場合にのみ、画像形成を許可する画像形成装置においては、画像を形成した後に、ユーザが認証情報の入ったキーを抜き出すのを忘れてしまい、他の権限を有しないユーザがそのキーを利用して画像の形成を行うという問題があった。
【０００６】
この発明は、上記のような問題点に着目してなされたもので、認証情報が入った認証キーを装置本体に装着した場合にのみ、画像形成を許可する画像形成装置において、認証情報を有する認証キーを置き忘れて、権限の無いユーザによって使用されることのない画像形成装置を提供することを目的とする。
【課題を解決するための手段】
【０００７】
この発明に係る、画像形成装置は、所定の認証情報を有する認証キーが接続されているか否かを判断する認証キー判断手段と、認証キー判断手段が、認証キーが接続されていると判断しているときに、ジョブの設定を許容するジョブ設定手段と、ジョブ設定手段によるジョブの設定後、設定されたジョブを実行するジョブ実行手段とを含み、認証キー判断手段が、認証キーが取り外されたと判断した後に、ジョブ実行手段によるジョブを実行させるよう制御する制御手段を含む。
【０００８】
好ましくは、ジョブ設定手段によるジョブの設定後、認証キーを取り外すよう警告する警告手段を含む。
【０００９】
さらに好ましくは、表示手段をさらに含み、警告手段は、表示手段に警告文を表示する。
【００１０】
なお、認証キーは認証情報のみを有するのが好ましい。
【００１１】
さらにパスワードを入力させるパスワード入力手段を含み、制御手段は、パスワード入力手段へのパスワードの入力があった場合に、ジョブ設定手段によるジョブの設定を許可する。
【発明の効果】
【００１２】
この発明によれば、所定の認証情報を有する認証キーが接続されていると判断しているときに、ジョブの設定を許容し、認証キーが取り外された後に、設定されたジョブを実行させるようにしたため、認証キーが取り外されないとジョブが実行できない。
【００１３】
その結果、認証キーを置き忘れて、権限の無いユーザによって使用されることのない画像形成装置を提供できる。
【発明を実施するための最良の形態】
【００１４】
以下、この発明の実施の形態を、図面を参照して説明する。  以下、この発明の実施の形態を図面を参照して説明する。図１は、この発明の一実施の形態に係る画像形成装置として機能するデジタル複合機１０の要部を示すブロック図である。図１を参照して、デジタル複合機１０は、デジタル複合機１０全体を制御する制御部１１と、ＤＲＡＭ１２と、ＦＡＸ通信部１３と、ネットワーク４０と接続するためのネットワークＩＦ（インタフェース）部１４と、印刷手段として作動する印字部１５と、データを保存するＨＤ（ハードディスク）１６と、画像読み取り部１７と、操作部１８と、画像読み取り部１７へ原稿を自動で搬送する原稿送り装置１９とを含む。なお、このデジタル複合機１０は、所定の認証情報を有する認証キーが挿入されないと印刷、ＦＡＸ送信、画像読取等のジョブが実行できないようになっている。したがって、デジタル複合機１０には、この認証キーを挿入するキー挿入部５１が設けられている。なお、認証キーには、部門情報や、グループ情報等の認証情報のみが格納されているのが好ましい。
【００１５】
原稿送り装置１９は、複数の原稿を載置可能な原稿載置台を有している。画像読み取り部１７は光電変換素子の一例のＣＣＤ（図示せず）を備えており、原稿の画像データを読み取ることができる。
【００１６】
操作部１８は図２に示すように入力部２１と表示部２０とを含み、入力部２１は、原稿送り装置１９による原稿の読み込みスタートや、ＦＡＸの送信スタートやコピースタートを指示するスタートキー２１１と、実行中の処理を全面的に解除するための中止キー２１２と、割り込みの実行・解除を指示するための割り込みキー２１３と、ＦＡＸ送り先の番号やコピー枚数などを指示するテンキー２１４と、各種情報を設定するための設定キー２１５などを含む。
【００１７】
表示部２０は液晶パネルにより構成されており、デジタル複合機１０からユーザへの情報を表示できるようになっている。この液晶パネルはタッチパネルであり、「ＦＡＸ」，「プリンタ」および「コピー」の各機能を選択する入力部２１の一部としても機能する。
【００１８】
制御部１１は、画像読み取り部１７から与えられるデータ、ＦＡＸ通信部１３またはネットワークＩＦ部１４から与えられるデータをＤＲＡＭ１２に圧縮符号化して書き込み、ＤＲＡＭ１２に書き込んだデータを読み出し、伸張復号化して出力する。また、制御部１１は、ＦＡＸ通信部１３による通信のための制御と、ネットワークＩＦ部１４による通信のための制御と、印字部１５による印字のための制御と、画像読み取り部１７の画像読み取りのための制御と、操作部１８の入力部２１からのデータを入力するための制御と、操作部１８の表示部２０にデータを表示するための制御などを行う。
【００１９】
ネットワーク４０には、デジタル複合機１０のネットワークインターフェイス部１４にアクセス可能な複数のパソコン（Personal Computer）４１〜４３が接続されている。
【００２０】
なお、図１において太線の矢印は画像データの流れを示しており、細線の矢印は制御信号または制御データの流れを示している。
【００２１】
次に、制御部１１の行う動作について説明する。図３は、制御部１１の動作を示すフローチャートである。図３を参照して、まず表示部２０に認証情報を有する認証キーをキー挿入部５１に挿入するように表示する（ステップＳ１１、以下、「ステップ」を省略する）。次いで、認証キーが挿入されたか否かを確認する（Ｓ１２）。認証キーが挿入されていれば、原稿の読取時の設定を行うように表示部２０に表示し（Ｓ１３）、設定内容を確認する（Ｓ１４）。設定内容が確認できれば（Ｓ１４でＹＥＳ）、認証キーをキー挿入部５１から抜くように表示部２０に警告文を表示して（Ｓ１５）、抜かれたことを確認したら（Ｓ１６でＹＥＳ）、印字部１５による印刷を開始する（Ｓ１７）。
【００２２】
以上のように、制御部１１は、認証キー判断手段、ジョブ設定手段、ジョブ実行手段および制御手段として機能する。
【００２３】
以上のように、この実施の形態においては、所定の認証情報を有する認証キーが挿入されているときのみにデジタル複合機１０の動作の設定が可能であり、この動作の設定を確認した後に認証キーを抜くように促し、抜かれたことを確認した後に印刷のような具体的なジョブが実行されるため、ユーザが認証情報を有する認証キーを抜き忘れることが無い。その結果、認証情報が入った認証キーを装置本体に装着した場合にのみ、画像形成を許可する画像形成装置において、権限の無いユーザによってデジタル複合機のような画像形成装置が不正使用されることはない。
【００２４】
なお、Ｓ１５において、認証キーをキー挿入部５１から抜くように表示したとき、合わせてブザーや音声等で警告するようにしてもよい。
【００２５】
なお、上記実施の形態においては、デジタル複合機１０の動作として、原稿を読み取って印刷するジョブについて説明したが、これに限らず、画像読み取り部における原稿のスキャンや、ＦＡＸ通信部を用いたＦＡＸ通信等のジョブについても同様である。
【００２６】
また、上記実施の形態においては、認証情報を入力した認証キーの具体的形態については述べていないが、ＵＳＢメモリのようなスティック状であってもよいし、ＩＣカードのような形態であってもよい。またこれは、接触式であっても、非接触式であってもよい。
【００２７】
また、さらにユーザに対して操作部（パスワード入力手段）を介してパスワードを入力させパスワードの入力があった場合にのみジョブの設定を許可するようにしてもよい。
【００２８】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００２９】
【図１】この発明が適用されたデジタル複合機を示すブロック図である。
【図２】デジタル複合機の操作部を示す図である。
【図３】デジタル複合機の動作を示すフローチャートである。
【符号の説明】
【００３０】
１０  デジタル複合機、１１  制御部、１２  ＤＲＡＭ、１３  ＦＡＸ通信部、１４  ネットワークＩＦ（インタフェース）部、１５  印字部、１６  ＨＤ（ハードディスク）、１７  画像読み取り部、１８  操作部、１９  原稿送り装置、２０  表示部、５１  キー挿入部。
【図１】
2008236366.tif 000003
【図２】
2008236366.tif 000004
【図３】
2008236366.tif 000005